(57)【要約】【課題】１枚のディスクで、２層ＨＤ ＤＶＤも１層ＤＶＤの情報も扱えるようにする。【解決手段】（１）光透過層と第１レーザ光によりアクセスされる第１記録層と、第２レーザ光によりアクセスされる第２記録層及び第３記録層がレーザ光入射方向に順に配置された３層構造の光ディスクであること（２）光入射面から第１記録層までの光透過層の距離が最小５５０μｍであること（３）第１記録層と第３記録層との間隔が最大で７２μｍであること(４)  第２記録層と第３記録層との間隔が最小１９μｍであること（５）第１記録層と第２記録層との間隔が概ね２８〜３８μｍの間であること（６）第1レーザ光による第１記録層からの反射率が４５％以上であること（７）第２記録層及び第３記録層の面記録密度が第１記録層の面記録密度の３倍以上であることを基本としている。【選択図】図７
2007102841.tif 000002
【特許請求の範囲】
【請求項１】
光透過層と、第１レーザ光によりアクセスされる第１記録層と第２レーザ光によりアクセスされる第２記録層及び第３記録層とがレーザ光入射方向に順に配置された片面３層光ディスクであって、
第１記録層の位置が光入射面から最小５５０μｍであり、
第１記録層と第３記録層との間隔が最大で７２μｍであり、
第２記録層と第３記録層との間隔が最小１９μｍであり、
第１記録層と第２記録層との間隔が概ね２８〜３８μｍの間であり、
第1レーザ光による第１記録層からの反射率が４５％以上であり、
第２記録層及び第３記録層の面記録密度が第１記録層の面記録密度の３倍以上である光ディスク。
【請求項２】
第１レーザ光による第２記録層の反射率が８％未満、第２レーザ光による第２記録層及び第３記録層の反射率が７〜１２％、第２記録層と第３記録層の反射率の比率が概ね±１０％以下である請求項１記載の光ディスク。
【請求項３】
第１記録層を形成した第１信号基板と、第２信号基板に形成した第３記録層上に第２の中間層を介して第２記録層を形成し、前記第１信号基板および第２信号基板の記録層面を内側にして２つの基板を接着し、第１中間層を形成し、
前記第１記録層の位置が前記第１の信号基板の光入射面から最小５５０μｍであり、
前記第１記録層と第３記録層との間隔が最大で７２μｍであり、
前記第２記録層と第３記録層との間隔が最小１９μｍであり、
前記第１記録層と第２記録層との間隔が概ね２８〜３８μｍの間であり、
前記第1レーザ光による第１記録層からの反射率が４５％以上であり、
前記第２記録層及び第３記録層の面記録密度が第１記録層の面記録密度の３倍以上である光ディスクの作製方法。
【請求項４】
光ディスクに記録された情報を読み取る装置であって、
前記光ディスクは、光透過層と、第１レーザ光によりアクセスされる第１記録層と、第２レーザ光によりアクセスされる第２記録層及び第３記録層とが、レーザ光入射方向に順に配置された片面３層光ディスクであって、
第１記録層の位置が光入射面から最小５５０μｍであり、
第１記録層と第３記録層との間隔が最大で７２μｍであり、
第２記録層と第３記録層との間隔が最小１９μｍであり、
第１記録層と第２記録層との間隔が概ね２８〜３８μｍの間であり、
第1レーザ光による第１記録層からの反射率が４５％以上であり、
第２記録層及び第３記録層の面記録密度が第１記録層の面記録密度の３倍以上であり、
情報を読み取る装置は、
前記第１レーザ光と第２レーザ光を発生可能な光ヘッドと、
前記第１レーザ光か第２レーザ光を選択的に発生させる制御手段
を備えた光ディスク装置。
【請求項５】
前記制御手段は、ユーザインタフェースによる利用者入力に基づいて第１レーザ光か第２レーザ光を選択する
請求項４に記載の光ディスク装置。
【発明の詳細な説明】
【技術分野】
【０００１】
この発明は、光ディスク、光ディスク装置、光ディスクの作製方法に関するものであり、ＤＶＤのように映画や音楽などのデジタル化された映像音響作品などを蓄積する媒体となる光ディスクに好適し、また光ディスクの記録情報を読み取る光ディスク装置、光ディスクを記録媒体とするデジタル作品出版物に適用にされるものである。
【背景技術】
【０００２】
＝＝＝ＤＶＤ規格の概要＝＝＝
周知のように、デジタル映像を蓄積する光ディスクとして、ＤＶＤ(デジタル多用途ディスク)があり、主に映画コンテンツの蓄積・配布（デジタル作品出版物）として全世界で幅広く使われている。このＤＶＤは、ＤＶＤフォーラムが作成したフォーマットで、ＤＶＤ ブック(Book)として公開され（ワールド・ワイド・ウエブ-dvdforum-org参照)、また国際規格やＪＩＳとしても定められている。ここでは、ＤＶＤ物理フォーマットの１つである、１２０ｍｍＤＶＤ−ＲＯＭの国際規格、ＩＳＯ／ＩＥＣ １６４４８に従って簡単に説明する。また国際規格に関連した文献としてＥＣＭＡ２６７がある。
【０００３】
１２０ｍｍＤＶＤ−ＲＯＭには、片面仕様で記録層が１層のものと２層のもの、そしてこれらを両面化したもの、合わせて４種類のディスクがある。映画などのコンテンツの蓄積配布では、主に、片面１層ＤＶＤディスク（４.７ＧＢ）と片面２層ＤＶＤディスク（８.５４ＧＢ）が使われている。
【０００４】
一方、上記ＤＶＤ（既存ＤＶＤと称する）に比べて、さらに大容量のディスクの開発が要望されている。これはＨＤ(High Definition) 映像（高精細映像）を、１枚のディスク（次世代ＤＶＤと仮に称する）に入れたいという要求から生じている。
【非特許文献１】ＥＣＭＡ２６７
【発明の開示】
【発明が解決しようとする課題】
【０００５】
上記の次世代ＤＶＤが開発された場合、この次世代ＤＶＤは、既存ＤＶＤに比べ、記録密度、変調方式、信号処理、トラックフォーマットなどが大きく異なるため、従来のＤＶＤ装置（ドライブあるいはプレーヤ）では読み取ることができない。つまり、従来のＤＶＤ装置では、次世代ＤＶＤディスクに収録されたＨＤ映画コンテンツだけではなく、次世代ＤＶＤに収録された従来のＤＶＤ映画コンテンツも読み取ることができないなどの課題があり、次世代ＤＶＤを普及させる上で、阻害要因となることが考えられる。
【０００６】
そこでこの発明の目的の一面は、上記のような課題に鑑みて、１つのディスクで、片面２層ＨＤＤＶＤの情報（コンテンツ）も1層ＤＶＤの情報(コンテンツ)も扱えるようにすることにある。
【課題を解決するための手段】
【０００７】
この発明の一実施形態では、上記の目的を達成するために光透過層、第１レーザ光によりアクセスされる第１記録層、第２レーザ光によりアクセスされる第２記録層及び第３記録層がレーザ光入射方向に順に配置された片面３層光ディスクであって、光入射面から第１記録層までの光透過層の間隔が最小５５０μｍであり、第１記録層と第３記録層との間隔が最大で７２μｍであり、第２記録層と第３記録層との間隔が最小１９μｍであり、
第１記録層と第２記録層との間隔が概ね２８〜３８μｍであり、第1レーザ光による第１記録層からの反射率が４５％以上であり、第２記録層及び第３記録層の面記録密度が第１記録層の面記録密度の３倍以上である光ディスクの構成を基本とするものである。
【発明の効果】
【０００８】
この発明によれば、片側から第１記録層に第１レーザ光（赤色レーザ光）、第２記録層及び第３記録層（ＨＤ ＤＶＤ層に相当）に第２レーザ光（青紫色レーザ光）でアクセス可能な光ディスクを提供することができる。従って、現在広く普及しているＤＶＤの映画コンテンツと、２層ＨＤ ＤＶＤの映画コンテンツの両方を１つのディスクに入れることができる。この結果、このディスクは、1層ＤＶＤとして収録している映画などのコンテンツの供給及び２層ＨＤ ＤＶＤとしてボーナスコンテンツを含むＨＤ映像のコンテンツを供給することができ、ＳＤ（Standard）映像とＨＤ(High Definition)映像の両方を扱えるコンビネーションディスクである。
【０００９】
そして、従来のＤＶＤ対応光ディスク装置では、ＤＶＤのコンテンツを再生することができ、一方、新規なＨＤ ＤＶＤ対応光ディスク装置では、ＨＤ ＤＶＤの映画コンテンツを再生するか、またはＨＤ ＤＶＤとＤＶＤの映画コンテンツの両方を再生できるように対応することができる。
【００１０】
たとえば、同じ映画コンテンツをＤＶＤコンテンツとＨＤ ＤＶＤコンテンツとして用意し、この２つの映画コンテンツを１枚のディスクにいれておけば、ＤＶＤ対応装置だけしか持っていないユーザはＤＶＤ映画コンテンツを見ることができ、一方、ＨＤ ＤＶＤ対応装置を持っているユーザは、ＨＤ ＤＶＤ映画コンテンツを見ることができる。
【００１１】
現在、ＨＤ ＤＶＤ対応装置を持っていないユーザでも、将来、ＨＤ ＤＶＤ対応装置を購入すれば、新たにＨＤ ＤＶＤディスクを購入しなくても、既に購入したディスクでＨＤの映像を楽しむことができ、ユーザにとってそのメリットは大きい。
【発明を実施するための最良の形態】
【００１２】
以下、図面を参照してこの発明の実施の形態を説明する。まず、この発明の理解を容易にするために、図1乃至図６を用いて、現存ＤＶＤと次世代ＤＶＤ（ＨＤ ＤＶＤ）の技術について説明する。そして図７に本発明に係る次世代ＤＶＤの基本的構成を説明する。
【００１３】
＝＝＝片面１層ＤＶＤ＝＝＝
図１に片面１層ＤＶＤディスク１０の基本構造と光ヘッドの関係を示す。よく知られているように、ＤＶＤディスク１０は、０.６ｍｍ厚のディスク基板２枚を貼り合せた構造をもつ。１つは信号基板１２、もう１つは、ダミー基板１４で、記録層であるＤＶＤ ＳＬ層１５を内側にして、接着層１６で貼り合されている。通常これらの基板は、射出成形機を用いて、ポリカーボネートというプラスチック材料で形成される。
【００１４】
なお、信号基板１２には、映像情報やデータ情報などが、エンボスピットという形で、スパイラルトラックに形成される。記録層の情報を読み取る赤色レーザ光２０（波長：６５０ｎｍ）は、対物レンズ２１（ＮＡ:０.６）で絞られ、信号基板１２の光透過層１３を通して、ＤＶＤ層（ＳＬ）１５にフォーカスされる。
【００１５】
図２は、片面１層ディスクの入射面１１から見た記録層の位置を示す図である。（ａ）図は、従来から用いられている1層標準型（Single layer, Standard type）の場合で、光透過層１３の厚みの中心値は６００μｍで、入射面から最小５７０μｍ、最大６３０μｍの位置にある。この値は、対物レンズ２１の球面収差を考慮して定められている。最近、ＤＶＤ規格として、片面１層のディスクでも、（ｂ）図に示すように、記録層の中心値が５６５μｍで、入射面から最小５５０μｍ、最大５８０μｍにある、1層薄型（Single layer, Thin type）の場合が追加された（ワールド・ワイド・ウエブ-dvdforum-orgまたは、ＤＶＤブック参照）。このディスクは、従来の装置で読んだ時の互換性確保のため、ジッターが1層標準型の８％未満に対し、７％未満と規定されている。
【００１６】
一方、ここでは説明しないが、ＤＶＤには２つの記録層（Ｌ０層、Ｌ１層）を持つ２層ＤＶＤディスクが規定されている。容量は、２層で８.５４ＧＢで、片面から２つの記録層にアクセスすることができる。
【００１７】
＝＝＝記録層の反射率など＝＝＝
ＤＶＤ層の反射率は、
１層ディスク：４５〜８５％（ＰＢＳ有り）
２層ディスク：１８〜３０％（ＰＢＳ有り）
と決められている。
【００１８】
ディスクの反射率やレイヤ構成などを示す識別情報は、データフレーム（Data frame）のＩＤ（Identification Data）とＤＶＤ Ｌ０層１５のリードインエリア（Lead in area）にあるコントロールデータゾーン（Control data zone：ＣＤＺ）のフィジカルフォーマットインフォメーション（Physical format information：ＰＦＩ）にある。なお、映像を扱うＤＶＤビデオでは、ＢＣＡ(Burst cutting area)を形成することはできない。
【００１９】
＝＝＝ＨＤ ＤＶＤ＝＝＝
一方、最近よく報道されているように、ＨＤ映像（高精細）をディスク１枚に入れたいという要望から、青紫色半導体レーザ(以降、青紫色レーザ)を用いて、ＤＶＤの３倍以上の高密度化したＨＤ ＤＶＤが提案され、ＤＶＤフォーラムで規格化が行われている（ワールド・ワイド・ウエブ-dvdforum-org参照。まだ商品化されていない）。
【００２０】
ＨＤ ＤＶＤは、従来のＤＶＤとディスク構造を有し、容量は、片面１層ＨＤ ＤＶＤディスクが１５ＧＢ、片面２層ＨＤ ＤＶＤディスクが３０ＧＢである。これらの大容量化は、レーザ光の短波長化、高ＮＡ化、変調方式、新しい信号処理（ＰＲＭＬ：Partial Response and Maximum Likelihood）などの新しい技術で実現されている。
【００２１】
図３に、片面２層ＨＤ ＤＶＤディスク３０の基本構造と光ヘッドの関係を示す。ＨＤ ＤＶＤは、ディスクから情報を読み出すレーザ光が赤色（６５０ｎｍ）から青紫色（４０５ｎｍ）４０へと短波長化したこと、対物レンズ４１のＮＡが０．６から０．６５と大きくなったことから、球面収差やチルトによるコマ収差などが異なる。このため、実際のディスクでは、光入射面３１からのＨＤ ＤＶＤ Ｌ０層３５、ＨＤ ＤＶＤ Ｌ１層３７の位置、そして中間層３６の厚みなどがＤＶＤとは異なる。
【００２２】
図４に、光入射面３１から見た片面２層ＨＤ ＤＶＤディスクの各層の位置を示す。短波長化、高ＮＡ化に伴い、球面収差が厳しくなったため、ＨＤ ＤＶＤ Ｌ０層３５の位置は、最小で５７８μｍ、ＨＤ ＤＶＤ Ｌ１層３７の位置は、最大で６２２μｍに限定され、２層間の距離（中間層３６）は、１５〜２５μｍと定められている。
【００２３】
一方、ＨＤ ＤＶＤ層の反射率は、
１層ディスク：４０〜７０％（複屈折を含む）
２層ディスク：１８〜３２％（複屈折を含む）
と決められている。
【００２４】
ディスクの反射率やレイヤ構成などを示す識別情報は、ＤＶＤの場合と同様、データフレームのＩＤとＨＤ ＤＶＤ Ｌ０層３５のシステムリードインエリアにあるＣＤＺのＰＦＩにある。この他、ＨＤ ＤＶＤでは、ディスクの識別情報やコンテントプロテクション情報などが、リードインエリアより内側に形成されるＢＣＡに設けられている。このＢＣＡはＨＤ ＤＶＤ Ｌ１層３７に形成される。
【００２５】
＝＝＝既存ＤＶＤとＨＤ ＤＶＤ＝＝＝
このように、ＨＤ映像を蓄積可能な大容量のＨＤ ＤＶＤが提案され、新たにＨＤ ＤＶＤ用に設計されたＨＤ ＤＶＤ装置（ドライブあるいはプレーヤ）であれば、ＨＤ ＤＶＤディスクだけではなく、ＤＶＤについても読めるように設計することは可能である。しかし、このＨＤ ＤＶＤディスクは、既存ＤＶＤに比べ、記録密度、変調方式、信号処理、トラックフォーマットなどが大きく異なるため、従来のＤＶＤ装置（ドライブあるいはプレーヤ）ではその記録情報を読み取ることができない。つまり、従来のＤＶＤ装置では、ＨＤ ＤＶＤディスクに収録されたＨＤ映画コンテンツだけではなく、従来のＤＶＤ映画コンテンツも読み取ることができないなどの課題がある。この課題に対応するため、最近、ＨＤ ＤＶＤ記録層とＤＶＤ記録層とを持つＨＤ ＤＶＤ／ＤＶＤ ツインフォーマットディスク(Twin format disc)がＨＤ ＤＶＤフォーマットの中で規格化された
(ワールド・ワイド・ウエブ-dvdforum-org参照)。
【００２６】
＝＝＝ＨＤ ＤＶＤ／ＤＶＤ  ツインフォーマットディスク＝＝＝
ツインフォーマットディスクは、従来のＤＶＤ装置ではＤＶＤディスクとして扱え、ＨＤ ＤＶＤ装置ではＨＤ ＤＶＤディスクとして取り扱うことができる新しいディスクである。そして、両方のフォーマットに対応した互換装置であれば、両方の情報（コンテンツなど）をユーザが選択して読み取ることのできるディスクである。
【００２７】
図５に、ＨＤ ＤＶＤ／ＤＶＤ  ツインフォーマットディスク の基本構造と光ヘッドの関係を示す。ツインフォーマットディスク５０は、ＤＶＤ ＳＬ層の形成されるＤＶＤ基板５２、ＨＤ ＤＶＤ ＳＬ層が形成されるＨＤ ＤＶＤ基板５３、そして中間層５６より成り、光入射面５１から見て手前にＤＶＤ ＳＬ層５５、奥側にＨＤ ＤＶＤ ＳＬ層５７が形成されている。
【００２８】
図６に、ツインフォーマットディスクの記録層の位置関係を示す。ＤＶＤ ＳＬ層５５の位置は、光入射面５１から５５０〜５７５μｍ、中間層５６は３３〜４７μｍ、そして、ＨＤ  ＤＶＤ ＳＬ層５７は、５７８〜６２２μｍにある。なお、ＤＶＤ ＳＬ層５５とＨＤ ＤＶＤ ＳＬ層５７の最大距離は７２μｍである。
【００２９】
そして、このディスクを赤色レーザ光２０で読んだときの反射率は、
ＤＶＤ層            ４５〜８５％
ＨＤ ＤＶＤ層       ８％未満
と規定されている。現行の片面１層ＤＶＤでは、他の層からの反射率の規定はないが、ＨＤ ＤＶＤ層からの反射率を規定することで、現行ＤＶＤ装置でうまく読めるようにしている。
【００３０】
一方、青紫色レーザ光４０で読んだときの反射率は
ＨＤ ＤＶＤ層          １４〜２８％
と規定されている。
【００３１】
このように、ＨＤ ＤＶＤフォーマットの中で、ツインフォーマットディスクが規定されたことで、従来のＤＶＤ装置でも、ＤＶＤ情報を読み取ることが可能となった。
【００３２】
このディスクの反射率やレイヤ構成などを示す識別情報は、ＤＶＤ ＳＬ層５５とＨＤ ＤＶＤ ＳＬ層５７にあり、また、ＨＤ ＤＶＤ ＳＬ層５７には、ＢＣＡがリードインエリアの内側に形成されている。
【００３３】
しかしながら、このツインフォーマットディスクで規定されているのは、ＨＤ ＤＶＤ層が１層のため、次世代ＤＶＤとしては、２層ＨＤ ＤＶＤに比べ容量が半分になってしまう欠点がある。そこで発明者等は、１つのディスクで、２層ＨＤ ＤＶＤの情報（コンテンツ）も片面１層ＤＶＤの情報(コンテンツ)も扱えるようにした、光ディスク、光ディスク装置、光ディスク再生方法、光ディスクを媒体としたデジタル作品出版物を工夫している。以下、その具体的実施形態を説明する。
【００３４】
＝＝＝光ディスクの基本構成と作製プロセス＝＝＝
図７に、この発明の一実施例である光ディスクと光ヘッドの関係を示す。光ディスク７０は、光入射面７１から順に、第１信号基板７２、第１記録層（ＤＶＤ ＳＬ層）７５、第１中間層７６、第２記録層(ＨＤ ＤＶＤ Ｌ０層)８０、第２中間層８１、第３記録層（ＨＤ ＤＶＤ Ｌ１層）８２が形成されている。ＤＶＤ ＳＬ層７５は、対物レンズ２１を通して赤色レーザ光２０で読み取り、ＨＤ ＤＶＤ Ｌ０層８０及びＬ１層８２は、対物レンズ４１を通して、青紫色レーザ光４０で読み取られる。
【００３５】
ＤＶＤ ＳＬ層７５は、光入射面７１から最小５５０μｍにあり、一方、ＨＤ ＤＶＤ Ｌ１層８２は、最大で６２２μｍにある。従って、許容される２つの層間の距離は、最大で７２μｍとなる。この７２μｍの間に、ＤＶＤ ＳＬ層、及びＨＤ ＤＶＤ Ｌ０層及びＬ１層の３つの記録層を、実用的に製造できる範囲で配置できればよい。ただし、ＤＶＤ ＳＬ層は、既存のＤＶＤ再生装置との互換性の観点から、赤色レーザ光で読み出したときの反射率は、規格の４５％以上を満足し、また、他の層の反射率は、ツインフォーマットの場合と同様、８％未満が要求される。
【００３６】
一方、青紫色レーザ光で、ＨＤ ＤＶＤ層を読み出す場合、とくに、ＨＤ ＤＶＤ Ｌ０層８０は、ＨＤ ＤＶＤ Ｌ１層８２及びＤＶＤ ＳＬ層７５からの層間クロストークの影響を受ける。このため、第１中間層７６及び第２中間層８１の厚さを決めるには、製作精度だけではなく、これら層間クロストークの影響も考慮しなければならない。
【００３７】
図８は、上記を考慮したときの基板厚及び層間厚の設計の一例である。第１信号基板７２の射出成形精度は、スタンパーの製作精度や取り付け精度なども考えると、現在の技術では、概ね±７.５μｍ程度までは可能である。勿論、将来的には更に精度を上げることが可能となろう。一方、本来中間層の厚みは、２層ＨＤ ＤＶＤでは最小１５μｍである。しかし、本発明光ディスクでは、ＤＶＤ ＳＬ層からも層間クロストークが発生するため、層間間隔の最小値を１９μｍとし、かつ、２層ＨＤ ＤＶＤの反射率の比を、ある一定値に抑えることにしている。このようにすることで、層間距離を狭めても層間クロストークを増やさずに済ませることができるためである。
【００３８】
ＨＤ ＤＶＤ Ｌ０層は、第２信号基板に形成されたＨＤ ＤＶＤ Ｌ１層の上に、２Ｐ法で形成するが、その精度は±２μｍ程度は可能である。そして、ＤＶＤ ＳＬ層が形成されている第１信号基板と第信号基板を、記録面を内側にして中間層７６を介して貼り合わされる。ここでは、層間クロストークの観点から、中間層の厚みの最小値を２８μｍとした(後で説明)。この程度の厚みであれば、最近の真空ボンディング技術を用いることにより、概ね±３μｍで貼り合わせることは可能である。その結果、７２μｍの距離の中に、層間クロストークが問題とならない範囲で、ＤＶＤ ＳＬ層７５とＨＤ ＤＶＤ Ｌ０層８０及びＬ１層８２を形成することができる。なお、ここでは、半透明膜となる第１記録層及び第２記録層にはＡｇ合金、高反射となる第３記録層にはＡｌ合金を用いている。
【００３９】
図９に、本発明ディスクの作製プロセスの一例を示す。８４は、２層ディスクや従来のツインフォーマットを作る工程とほぼ同じである。左側は、第１信号基板７２と第１記録層であるＤＶＤ ＳＬ層７５を形成する工程である。右側は、第２信号基板７３に第３記録層であるＨＤ ＤＶＤ Ｌ１層８２を形成する工程である。本発明のディスク作製では、上記に対し、９４の追加プロセスを加えることで、第２信号基板上に形成されたＨＤ ＤＶＤ Ｌ１層の上に、第２記録層であるＨＤ ＤＶＤ Ｌ０層を形成している。そして、第１信号基板と第２信号基板を、記録層を内側にして貼合われば、本発明ディスクを作製することができる。
【００４０】
簡単に各プロセスを説明する。プロセス８５−８８では、ＤＶＤのＳＬ層用スタンパーで、第１信号基板が射出成型され、ＳＬ層の反射膜が形成され、次に第１中間層がスピンコートされる。プロセス８９，９０では、ＨＤ ＤＶＤのＬ１層用スタンパーで、第２信号基板が射出成型され、Ｌ１層の反射膜が形成される。次に、上記したプロセス９４において、第２中間層のスピンコート（プロセス９５）、ＨＤ ＤＶＤのＬ０層形成（プロセス９６，９８）、Ｌ０層の反射膜形成が行なわれる（プロセス９７）。そして最後の第１信号基板と第２信号基板とが貼り合わせられる（プロセス９２）。
【００４１】
上記の説明では、第２信号基板に第３記録層を形成し、その上に第２記録層を形成することで説明したが、勿論、第１信号基板の上に第１記録層を形成し、その上に第２記録層を形成しても良い。
【００４２】
＝＝＝各層の反射率＝＝＝
図１０に、赤色レーザ光(Ｉｒ)２０を本発明の光ディスク７０に入射させたときの各層からの反射光と反射率の関係を示す。各層の反射率は、各記録膜の反射率及び透過率を用いて計算することができる。ただし、入射面のロスは１０％、複屈折の影響は後で考慮することにし、この式には入れていない。
【００４３】
第１記録層であるＤＶＤ ＳＬ層７５の反射率
Ｒｒ１＝Ｉｒ１／Ｉｒ≒0.9×rr1                          （１）
第２記録層であるＨＤ ＤＶＤ Ｌ０層８０の反射率
Ｒｒ２＝Ｉｒ２／Ｉｒ≒0.9×（tr1）２×rr2                （２）
第３記録層であるＨＤ ＤＶＤ Ｌ１層８２の反射率
Ｒｒ３＝Ｉｒ３／Ｉｒ≒0.9×（tr1）２×（tr2）２×rr3      （３）
同様に、図１１に、青紫色レーザ光(Ｉｂ)４０を本発明の光ディスク７０に入射させたときの各層からの反射光と反射率の関係を示す。各層の反射率は、各記録膜の反射率及び透過率を用いて計算することができる。ただし、入射面のロスは１０％、複屈折の影響は後で考慮することにし、この式には入れていない。
【００４４】
ＤＶＤ ＳＬ層７５の反射率
Ｒｂ１＝Ｉｂ１／Ｉｂ≒0.9×rb1                        （４）
ＨＤ ＤＶＤ Ｌ０層８０の反射率
Ｒｂ２＝Ｉｂ２／Ｉｂ≒0.9×（tb1）２×rb2              （５）
ＨＤ ＤＶＤ Ｌ１層８２の反射率
Ｒｂ３＝Ｉｂ３／Ｉｂ≒0.9×（tb1）２×（tb2）２×rb3    （６）
図１２は、半透明膜として用いられるＡｇ合金膜について、３つの厚さの異なるサンプルを作製し、赤色レーザ光及び青紫色レーザ光を用いて実測した反射率及び透過率の値をベースに、Ａｇ合金膜の厚さによる赤色レーザ光及び青紫色レーザ光に対する、反射率及び透過率を計算で求めたものである。以降の反射率の計算は、このグラフのＡｇ合金膜の値を用いて行った。
【００４５】
具体的に、第１記録層（ＤＶＤ ＳＬ層）及び第２記録層（ＨＤ ＤＶＤ Ｌ０層）がＡｇ合金膜、第３記録層（ＨＤ ＤＶＤ Ｌ１層）がＡｌ合金膜とし、各層からの反射率を計算した。図１２（ａ）、（ｂ）において注目すべきところは、赤色レーザ光を用いたときの反射率を示す曲線と透過率を示す曲線とのクロス点、青紫色レーザ光を用いたときの反射率を示す曲線と透過率を示す曲線とのクロス点である。図１２（ａ）ではクロス点が２０ｎｍ以下にあり、図１２（ｂ）では、クロス点が２０ｎｍ以上のところにある。本発明では、この２つのクロス点の間の領域を巧みに利用している。
【００４６】
図１３は、赤色レーザ光で第１記録層（ＳＬ層）、第２記録層（Ｌ１層）、第３記録層（Ｌ３層）の各層を読み出したときの反射率と、青紫色レーザ光で１記録層（ＳＬ層）、第２記録層（Ｌ０層）、第３記録層（Ｌ１層）の各層を読み出したときの反射率を計算し、グラフ化したものである。計算に当たっては、ＳＬ層７５の赤色レーザ光に対する反射率は５０％以上（複屈折で低下することを考慮し）、Ｌ０層及びＬ１層は、ほぼ同じ反射率となるようにした。なおこの計算では、複屈折による反射率の低下はいれていない。
【００４７】
図１３で、Ｒｒ１、Ｒｒ２、Ｒｒ３は赤色レーザ光に対する第1記録層（ＳＬ層）、第２記録層（Ｌ０層）、第３記録層（Ｌ１層）の反射率である。第３記録層からの反射率は極めて小さいので無視することができる。しかし、第２記録層からの反射は９％弱有り、無視することはできないレベルである。第１記録層のＡｇ合金の膜厚を厚くすることで、この反射率を下げることは可能だが、一方、青紫色レーザ光に対しては、第１記録層の反射率が上がり、同時に、青紫色レーザ光に対する第２記録層及び第３記録層の反射率が低下する。従って、青紫色レーザ光に対しては、第１記録層からの反射率が大きな問題となるため、両方を考慮して、最適な範囲を決めなければならない。
【００４８】
図１３でＲｂ１、Ｒｂ２、Ｒｂ３は青紫色レーザ光に対する第1記録層（ＳＬ層）、第２記録層（Ｌ０層）、第３記録層（Ｌ１層）の反射率である。
【００４９】
図１４は、複屈折としてＨＤ ＤＶＤ規格の最大値６０ｎｍあった場合と、なかった場合について示す（複屈折による反射率低下は、赤色レーザ光に対しては、最大８.２％のロス、青紫色レーザ光に対しては最大２０％のロスとして計算した）。なお、赤色レーザ光に対する第３記録層の反射率はきわめて小さいので、図では示していない。
【００５０】
＝＝＝赤色レーザ光で再生した場合の反射率、中間層の厚さ＝＝＝
さて、本発明のディスクを赤色レーザ光で読み出した場合、第１記録層（ＤＶＤ ＳＬ層）７５の反射率は、複屈折が最大の６０ｎｍあった場合でも４５％以上あればよい。図１４によれば、Ｒｒ１は、第１記録層のＡｇ合金の膜厚が１７ｎｍ以上あれば、この条件を満足できることが分かる。
【００５１】
一方、ツインフォーマットディスクの規定から、既存のＤＶＤ再生装置で再生できるようにするためには、隣接記録層となる第２記録層（ＨＤＤＶＤ Ｌ１層）８０の反射率は８％未満とする必要がある。図１３のＲｒ１より、第１記録層のＡｇ合金膜の厚さは、１８μｍ程度より厚くすれば、この条件を満足できることが分かる（Ｒｒ２が８％未満となっている）。なお、第３記録層の反射率は１％程度なので無視することができる。
【００５２】
赤色レーザ光で第１記録層（ＤＶＤ ＳＬ層）７５を読み出す場合、第１記録層７５と第２記録層８０との間に形成される第１中間層７６については、第２記録層８０の反射率が８％未満である限り特に制限は無い。つまり、赤色レーザ光での再生については、第１記録層のＡｇ膜厚が１８ｎｍ以上であれば、第２記録層の反射率（Ｒｒ２）は7.4％以下となり、８％未満を達成することができる。
【００５３】
＝＝＝青紫色レーザ光で再生した場合の反射率、層間クロストーク、中間層の厚さ＝＝＝
上記の考察で、本発明のディスクを赤色レーザ光で第１記録層を再生する場合、第１記録層のＡｇ膜厚が１８μｍより厚ければよいことを示した。
【００５４】
ところが、本発明のディスクを青紫色レーザ光で再生した場合は、図１３からも分かる通り、第１記録層７５のＡｇ合金の膜厚を厚くすると、第２及び第３記録層の反射率Ｒｂ２，Ｒｂ３が低下し、更に、第２記録層に対する層間クロストークとなる第１記録層の反射率Ｒｂ１が増大する。このため、第１記録層のＡｇ合金膜は、ある範囲で最適になることが考えられる。
【００５５】
今、第２記録層に注目して層間クロストークを考えてみる。従来の２層ＨＤ ＤＶＤでは、中間層の厚さは２０±５μｍ、反射率は１８〜３２％で、層間クロストークはＬ０層とＬ１層との間で生じている。ところが、本発明では、第２記録層となるＬ０層では、第３記録層であるＬ１層からだけではなく、第１記録層であるＳＬ層からの層間クロストークの影響も受けることになる。
【００５６】
各層の反射率は、図１３および図１４で示した通り、各記録層を形成する記録膜の材料が決まれば自動的に決まってしまう。このため、層間クロストークを減らすには、第１中間層及び第２中間層の間隔と、反射率が１８〜３２％の範囲で許容されているＨＤ ＤＶＤ Ｌ０層とＨＤ ＤＶＤ Ｌ１層の反射率の比率を狭めることが必要となる。
【００５７】
２層ＨＤ ＤＶＤディスクでは、理論上、中間層の間隔が１５μｍ、反射率比が32/18＝1.78で生じる層間クロストークまで許容されることになる。しかし、２つの記録層の反射率には必ず変動があり、その比率を±１０％程度とすれば、反射率比が32/18/(1.1/0.9)＝1.45と等価になる層間クロストークまで許容できることになる。
【００５８】
今、本発明の第２中間層の間隔の最小値をｄμｍ、反射率変動を±１０％とすれば、これによって生じる層間クロストークは、(15/d) ２×(1.1/0.9)となる。
【００５９】
一方、ＤＶＤ ＳＬ層からの層間クロストークの影響は、第１中間層の厚さをｆμｍとすれば、(15/ｆ) ２×(Rb1/Rb2)となる。なお、(Rb1/Rb2)は、複屈折には影響されない。
【００６０】
以下、Ａｇ合金の膜厚が１８μｍとして層間クロストークについて検討してみる。層間クロストークの観点では、第２中間層はできるだけ厚いほうが良いが、厚くすると７２μｍの許容値の中に３つの記録層を入れるのが難しくなる。そこで、ここでは設計例で用いた値、最小値１９μｍとすると、Ｌ１層からの層間クロストークは、
(15/19) ２×(1.1/0.9)＝0.762
一方、ＤＶＤ ＳＬ層からの層間クロストークは、
(15/f) ２×(24.2％/11.2％)
Ｌ０層への層間クロストークの合計は、
0.762＋(15/f) ２×(24.2％/11.2％)< 1.45
ｆ> 26.6μｍ
次に、第１記録層のＡｇ合金の膜厚を１９μｍとすると、ＤＶＤ ＳＬ層からの層間クロストークは、
(15/f) ２×(26.3％/10.3％)< 1.45
ｆ> 28.9μｍ
以上の検討から、第１中間層の厚みが２８μｍ以上であれば、最悪の場合でも層間クロストークを満足させることができる。なお、第１中間層の厚さの上限は第１信号基板の成形精度、第１中間層及び第２中間層の形成精度で決まる値で、設計例では３４μｍを用いたが、将来的には、３８μｍ程度まで高めることは可能と考えられる。
【００６１】
なお、第２記録層の反射率は、図１４から、第１記録層のＡｇ合金の膜厚が１８ｎｍで複屈折がない場合は、１１.２％、Ａｇ合金の膜厚が２０ｎｍで、かつ複屈折がある場合は、７.７％である。従って、反射率の範囲として、７〜１２％程度がよい。なお、第２記録層と第３記録層の反射率の比率は±１０％程度に収める必要がある。
【００６２】
＝＝＝フラグ情報＝＝＝
次に、本発明の光ディスクのフラグのセットについて説明する。本発明の光ディスクは、第１記録層が１層ＤＶＤディスクなので、ＤＶＤ ＳＬ層７５のデータフレーム（Data frame）の４バイトからなるＩＤ(Identification Data)において、ビットポジションb29, b24は、
b29 (Reflectivity)  ： 0b (反射率が４０％より大きい場合)
b24 (Layer number)  ： 0b（ＳＬの場合）                           
と記述する。
【００６３】
ＤＶＤ ＳＬ層７５に形成されるリードインエリア(Lead-in area)のコントロールデータゾーン(Control data zone:ＣＤＺ）のＰＦＩ(Physical format information)のバイトポジション（ＢＰ２）のb6  b5は、ディスクのレイヤ数を示すので、
b6 b5(Number of layer)：  00b  （１層）
と記述する。
【００６４】
また、（ＢＰ１６）はＢＣＡ(Burst cutting area)の有無を示し、ＤＶＤビデオではＢＣＡがあってはならないので、
b7(BCA flag)  ：0b（ＢＣＡ無し）
と記述する。
【００６５】
なお、（ＢＰ０）〜（ＢＰ３１）はＤＶＤファミリー共通で、（ＢＰ３２）〜（ＢＰ２０４７は夫々のディスクで使ってよい。ツインフォーマットディスクでは、新たに（ＢＰ３３）が定義されており、
b7 (Twin format flag)    0b: DVD-ROM disc (Disc is not Twin format disc)
1b: HD DVD-ROM/DVD-ROM Twin format disc
である。従って、（ＢＰ３３）には、
b7 (Twin format flag)    1b
と記述する。
【００６６】
一方、ＨＤ ＤＶＤＬ０層８０は、２層ＨＤ ＤＶＤディスクのＬ０層に該当するので、データフレームの４バイトからなるＩＤは、
b24(Layer number)  ： 0b（２層のＬ０）
と記述する。
【００６７】
また、ＨＤ ＤＶＤ Ｌ１層８２は、２層ＨＤ ＤＶＤディスクのＬ１層に該当するので、データフレームの４バイトからなるＩＤは、
b24(Layer number)  ： 1b（２層のＬ１）
と記述する。
【００６８】
ＨＤ ＤＶＤ Ｌ０層８２に形成されるリードインエリアのコントロールデータゾーンのＰＦＩの（ＢＰ２）のb6  b5は、ディスクのレイヤ数を示すので、現状のまま使うのであれば、
b6 b5(Number of layer)：  01b  （２層）
と記述する。
【００６９】
しかし、本発明のディスクは、実際には３層なので、
b6 b5(Number of layer)：  10b  （３層）    
とするのが良い。      
（ＢＰ１６）はＢＣＡの有無を示すので、
b7(BCA flag)  ：1b（ＢＣＡ有り）
と記述される。
【００７０】
また、ＨＤ ＤＶＤ／ＤＶＤツインフォーマットディスクは、従来の1層ＤＶＤと1層ＨＤ ＤＶＤのツインフォーマットディスクの規定から
（ＢＰ３３）は、
Layer 1 (b5-b3) ： 000b（ＨＤ ＤＶＤ−ＲＯＭフォーマット）
Layer 0 (b2-b0) ： 100b (ＤＶＤ−ＲＯＭフォーマット)
ただし、本発明のディスクは３層構造なので、２層構造のこの規定は当てはまらない。しかし、ＨＤ ＤＶＤ層が２層であることはＨＤ ＤＶＤ層をアクセスすれば判断できるので、このままでも使用は可能である。
【００７１】
しかし、ＨＤ ＤＶＤ層をアクセスしたとき、ＨＤ ＤＶＤ層が２層であることがわかれば更に便利なことは確かである。この場合は、Layer 1 (b5-b3)に、例えば001b（２層ＨＤ ＤＶＤ−ＲＯＭフォーマット）を新たに定義すればよい。
【００７２】
次に、ＢＣＡのフラグ情報について説明する。ＨＤ ＤＶＤのＢＣＡレコードは8バイトあり、（ＢＰ４）はブックタイプとディスクタイプ(Book type and Disc type)を示す。この中のｂ２にツインフォーマットディスクを示すツインフォーマットフラグがあるので、
b2（Twin format flag）：1b(ツインフォーマットディスク)
と記述される。
【００７３】
＝＝＝ＤＶＤ規格の光ディスク装置による再生＝＝＝
次に、本発明のディスクを従来のＤＶＤ再生装置で再生する場合について、図１５、図１６、及び図１７を使って説明する。図１５はよく知られている従来のＤＶＤ再生装置の主要構成を示し、図１６はその動作フロー、図１７はフォーカス信号とフォーカスサーボについて示している。
【００７４】
スピンドルモータ１００は、ターンテーブルを回転駆動する。クランパ１０１は、光ディスク７０をターンテーブル上に把持する。スピンドルモータ１００は、モータドライバ１０２により制御される。光ヘッド１１０は、対物レンズ４１及び光学系１１３を含む。光学系１１３は、フォーカス及びトラッキングアクチュエータ１１６により駆動される。フォーカス及びトラッキングアクチュエータ１１６がアクチュエータドライバ１１８により制御されると、レーザ光が光ディスクのトラックに焦点を合わせ、かつ追従する。ラジアルアクチュエータ１１７は、光ヘッド１１０をディスクの半径方向へ移動させるものであり、アクチュエータドライバ１１８により制御される。
【００７５】
ディスクからの反射光は、光学系１１３から導出され、変換ユニット１１５のフォトディテクタで電気信号に変換される。この電気信号は、ゲイン調整ユニット１２０の再生信号増幅器でゲイン調整され、信号処理回路１３０に入力される。信号処理回路１３０では、復調処理及バッファリング、エラー訂正などが行われ、その出力はデータ処理回路１４０に入力される。ここでは、パケット分離、制御信号分離などが行われ、映像及び音声の情報はＡＶデコーダ１５０に入力される。ＡＶデコーダ１５０で復調された、映像信号及び音声信号、副映像信号などは、ＡＶ増幅器１６０を介してベースバンド信号として出力され、モニタに入力される。
【００７６】
サーボコントローラ１７０は、例えば４分割フォトダイオードからの再生信号を演算処理したフォーカスエラー信号及びトラッキングエラー信号を用いて、アクチュエータ（ACT）ドライバ１１８に対して制御信号を与える。システムコントローラ１８０は、入力端末（例えばリモートコントローラ、あるいは操作キー入力部）１９０からの信号に応答して、装置の再生、停止、一時停止などを制御する。また、ゲイン調整ユニット１２０内のレーザダイオードドライバを制御する。レーザダイオードドライバは、光ヘッド１１０に搭載されているレーザダイオードを駆動し、この結果、レーザ光が出力される。
【００７７】
上記したＤＶＤ再生装置に本発明の光ディスク７０が装填されると、スピンドルモータ１００が所定の回転数まで回転する（図１６のステップ２００）。次に、赤色レーザ光２０を点灯、フォーカスアクチュエータ（ＡＣＴ）１１６に周期的な駆動電流が流され、光ヘッドが軸方向に上下する（図１６のステップ２０１，２０２）。再生信号から作ったフォーカス信号２０３が周期的に現れる（図１７参照）。１層ＤＶＤの最低反射率は４５％なので、ＦＳ検出レベル２０４をその半分程度に設定すれば、フォーカス検出信号２０６で、１つ検出パルス２０７が得られる（図１６のステップ２０５、２０７）。
【００７８】
１つのパルスが得られたことから、このディスクは１層ＤＶＤと判断し、ゲイン調整に得られるフォーカス信号を用いて、ＤＶＤ ＳＬ層７５へフォーカスオンが行われる。しばらく経つと、オンフォーカス状態となる。その後、トラッキングオンさせ、データフレームのＩＤを読む（図１６のステップ２２１）。ここで、ｂ29及びｂ24を見ることで、反射率及びＤＶＤ ＳＬ層またはＬ０層かが確認できる。次に、ＡＣＴドライバ１１８に信号を送り、Radial ACTキャリッジ１１７を動かして、光ヘッド１１０をリードインエリアに移動させ（図１６の２２２）、続いてコントロールデータゾーン（ＣＤＺ）ＰＦＩを読む。ここで、（ＢＰ２）を読むことで、１層ＤＶＤディスクであることが確認され、１層ＤＶＤとして映像の再生が行われる。ユーザは、入力端末１９０を用いて1層ＤＶＤの映像を楽しむことができる。
【００７９】
なお、ＤＶＤ再生装置によっては、２層ＤＶＤディスクか否かを最初に検出するものもある。この場合、ＦＳ検出レベル２０４は、２層ディスクの最低反射率１８％の半分以下に設定されている。フォーカス検出信号２０６は、ＤＶＤ ＳＬ層７５だけではなく、図１３で示した第２記録層（ＨＤ ＤＶＤ Ｌ０層８０）からの信号を拾ってしまう場合があり、２０７のパルスは２個になる場合もある。
【００８０】
２個のパルスが検出された場合、通常は、２層ＤＶＤとして再生動作を始め、ＤＶＤ Ｌ０層（ここではＤＶＤ ＳＬ層７５）にフォーカスオンするので、図１６のステップ２１０以降は同じとなり、最終的に１層ＤＶＤとして映像の再生が行われる。
【００８１】
装置によっては、ＤＶＤ Ｌ１層へフォーカスオンする場合もありうる。この場合、ＤＶＤ Ｌ１層と誤認識した記録層は、実際には、ＨＤ ＤＶＤ Ｌ０層８０なので、トラッキングがうまくいかず、信号検出ができない。このため、この層はＤＶＤ Ｌ１層ではないと判断され、再びＤＶＤ Ｌ０層（実際はＤＶＤ  ＳＬ層７５）へ戻って再生を行うので、１層ＤＶＤとして映像の再生が行われる。
【００８２】
＝＝＝ＨＤ  ＤＶＤ規格の光ディスク装置による再生＝＝＝
次に、青紫色レーザ光を用いたＨＤ ＤＶＤ再生装置の場合について、図１８、図１９、及び図２０を用いて説明する。図１８はＨＤ ＤＶＤ再生装置の主要構成を示し、図１９はその動作フロー、図２０はフォーカス信号とフォーカスサーボについて示している。ＨＤ ＤＶＤ再生装置の構成は、図１５に示した装置と類似しているので、類似部分に同一符号を付している。
【００８３】
ＨＤ ＤＶＤ装置に本発明の光ディスク７０が装填されると、スピンドルモータ１００が所定の回転数まで回転する（図１９のステップ２００）。次に、青紫色レーザ光４０を点灯（図１９のステップ２３１）、フォーカスＡＣＴ１１６に周期的な駆動電流が流され、光ヘッドが軸方向に上下する（図１９のステップ２３２）。再生信号から作ったフォーカス信号２３３が周期的に現れる（図２０参照）。
【００８４】
２層ＨＤ ＤＶＤの最低反射率は２層ＤＶＤと同様１８％、ツインフォーマットディスクのＨＤ ＤＶＤ層の最低反射率は１４％、本発明ディスクのＨＤ ＤＶＤ層の最低反射率は、６％なので、ＦＳ検出レベル２３４としては、６％以下が設定される。ここでは示していないが、検出レベルが５％以下になると、表面反射でもパルスが検出される。しかし、パルスの現れる位置が記録層と大きく異なるので、除外することができる。
【００８５】
本発明の光ディスクを再生装置に装填した場合、フォーカス検出信号２３６に３つの検出パルス２３７が現れる（図１９のステップ２３５、２３７）。そこで、装填されたディスクは本発明のディスクと仮判断し、本発明ディスクの再生のシーケンスに入る（最終的な判断はＰＦＩ及びＢＣＡのフラグ情報で判断）。
【００８６】
まず、再生信号のゲイン調整（図１９のステップ２４０）を行った後、ＨＤ ＤＶＤ Ｌ１層８２にフォーカスオンさせる（図１９のステップ２４４）。少しの整定時間を置いてＬ１層８２にオンフォーカスした状態（図１９のステップ２４５）となる。この後、トラッキングオン（図１９のステップ２５０）になれば、再生信号を読み取ることができる。光ヘッド１１０は、ディスクの任意の位置にあるが、再生信号のデータフレームのＩＤを読むことで、２層ＨＤ ＤＶＤのＬ０層かＬ１層か、さらにデータエリアかリードインエリアかなどの位置を判別できる（図１９のステップ２５１）。
【００８７】
データフレームのＩＤから、Ｌ１層と確認されたら、ラジアルＡＣＴ１１７を駆動し、光ヘッドをシステムリードインエリアに移動させ（図１９のステップ２５２）、コントロールデータゾーン（ＣＤＺ）のＰＦＩを読む（図１９のステップ２５３）。ここで（ＢＰ２）から、このディスクが３層構造を持つこと、（ＢＰ１６）からこのディスクにＢＣＡがあること、（ＢＰ３３）からこのディスクにＤＶＤ層が形成されていることが分かる。続いて、ＢＣＡエリアに移動してＢＣＡを読む（図１９のステップ２５４）とＢＣＡレコードＩＤの（ＢＰ４）から、本発明のツインフォーマットディスクであることは最終的に確認され（図１９のステップ２５５）、２層ＨＤ ＤＶＤの映像の再生に入る（図１９のステップ２５６）。ユーザは、入力端末１９０を用いて２層ＨＤ ＤＶＤの映像を楽しむことができる。
【００８８】
＝＝＝ＨＤ ＤＶＤとＤＶＤの両規格に対応した光ディスク装置による再生＝＝＝
次に、図２１、図２２を用いて、青紫色レーザ光と赤色レーザ光の両方を用いる本発明に係るコンパチブル再生装置について説明する。図２１はコンパチブル再生装置の構成、図２２はその動作フローである。コンパチブル再生装置は、赤色レーザ光と青紫レーザ光を選択的に出力することができる。先に説明した再生装置と類似する部分には、同一符号を付している。
【００８９】
まず、このコンパチブル再生装置に本発明のディスクを装填し、ディスクを回転させる（図２２のステップ２００）。次にレーザを点灯させてフォーカス／トラッキング、信号再生、映像再生へと移るが、最初は青紫色レーザ光を点灯させ（図２２のステップ２３１）、ＨＤ ＤＶＤ層の映像を再生する。
【００９０】
ＨＤ ＤＶＤ映像の再生フローは、図１９と同じで、ＨＤ ＤＶＤ Ｌ1層８２にフォーカスオン（図２２のステップ２４４）、続いてトラッキングオンし（図２２のステップ２５０）、データフレームＩＤ、システムリードインのＰＦＩ、そしてＢＣＡを読んで、このディスクが本発明の光ディスクと判断し、ＨＤ ＤＶＤの映像再生を行う。ユーザは入力端末１９０を使って２層ＨＤ ＤＶＤの映像を楽しむ事ができる。
【００９１】
次に、ユーザが入力端末１９０を使ってＤＶＤの再生を指定した場合、ＤＶＤへの切り替え信号２６１によって、赤色レーザが点灯される（図２２のステップ２０１）。この後は、図１６の動作フローと同じで、フォーカスＡＣＴ１１６が駆動され、記録層の探査（図２２のステップ２０２）、ＤＶＤ ＳＬ７５へのフォーカスオン、トラッキングオン（図２２のステップ２２０）と進み、１層ＤＶＤ映像の再生（図２２のステップ２２６）となる。
【００９２】
なお、従来のＤＶＤ再生装置では説明しなかったが、コントロールデータゾーンのＰＦＩの（ＢＰ３３）を調べることで、最初に、ＤＶＤを再生した場合でも、このディスクがツインフォーマットにディスクであることがわかる。
【００９３】
次に、再びユーザが入力端末１９０を使って２層ＨＤ ＤＶＤの再生を指定すると、ＨＤＤＶＤ再生への切り替え信号２６２によって、青紫色レーザが点灯され（図２２のステップ２３１）、先に示した方法で２層ＨＤ ＤＶＤの映像を再生する（図２２のステップ２５６）ことができる。
【００９４】
以上のように、本発明によれば、１枚の光ディスクにＨＤ ＤＶＤと２層ＤＶＤを形成することができ、既存のＤＶＤ装置では２層ＤＶＤ層を再生し、ＨＤ ＤＶＤ規格に対応したＨＤ ＤＶＤ装置ではＨＤ ＤＶＤ層を再生し、この発明に係るコンパチブル装置では、ＤＶＤ層とＨＤ ＤＶＤ層の両方を再生することができ、既存のＤＶＤ規格の製品群と新規なＨＤ ＤＶＤ規格の製品群とが両立しつつ、ＨＤ ＤＶＤ規格の製品群が一般利用者にスムーズに普及することを促すことができる。
【００９５】
＝＝＝他の実施形態＝＝＝
上記の実施例では、第１記録層及び第２記録層の半透明膜をＡｇ合金で形成した場合を説明した。しかしながら、２つの波長の異なるレーザ光に対し、選択的に反射率、透過率が設定できれば更に効率よく働かすことができる。
【００９６】
例えば、第１記録層及び第２記録層を多重干渉膜などで形成することで、より効果的な反射率の設定が可能である。
【００９７】
また、本発明では記録層が全て再生専用（ＲＯＭ）について説明したが、組み合わせについてはその限りでない。たとえば、第３記録層は記録形でも良い。その場合、第３記録層からの反射率がＲＯＭの場合に比べ半分以下に低下する。
【００９８】
＝＝＝上記した実施形態の基本的事項のまとめ＝＝＝
この発明に係る光ディスクは、基本的に、つぎの事項（１）〜（７）により特定されるものである。
【００９９】
（１）光透過層と、第１レーザ光によりアクセスされる第１記録層と、第２レーザ光によりアクセスされる第２記録層及び第３記録層がレーザ光入射方向に順に配置された片面３層光ディスクであること
（２）第１記録層の位置が光入射面から最小５５０μｍであること
（３）第１記録層と第３記録層との間隔が最大で７２μｍであること
（４）第２記録層と第３記録層との間隔が最小１９μｍであること
（５）第１記録層と第２記録層との間隔が概ね２８〜３８μｍの間であること
（６）第1レーザ光による第１記録層からの反射率が４５％以上であること
（７）第２記録層及び第３記録層の面記録密度が第１記録層の面記録密度の３倍以上であること
また、この発明に係る光ディスクは、上記の事項を基本とし、つぎの事項（８）〜（１０）を加えて実施することができる。
【０１００】
（８）第１レーザ光による第２記録層の反射率が８％未満であること
（９）第２レーザ光による第２記録層及び第３記録層の反射率が７〜１２％であること
（１０）第２記録層と第３記録層の反射率の比率が概ね±１０％以下であること
この発明に係る光ディスク装置は、つぎの事項（１１）〜（１９）により特定されるものである。
【０１０１】
（１１）光ディスクに記録された情報を読み取る装置であること
（１２）光ディスクは、光透過層と、第１レーザ光によりアクセスされる第１記録層と、第２レーザ光によりアクセスされる第２記録層及び第３記録層がレーザ光入射方向に順に配置された片面３層光ディスクであること
（１３）第１記録層の位置が光入射面から最小５５０μｍであること
（１４）第１記録層と第３記録層との間隔が最大で７２μｍであること
（１５）第２記録層と第３記録層との間隔が最小１９μｍであること
（１６）第１記録層と第２記録層との間隔が概ね２８〜３８μｍの間であること
（１７）第1レーザ光による第１記録層からの反射率が４５％以上であること
（１８）第２及び第３記録層の面記録密度が第１記録層の面記録密度の３倍以上であること
（１９）情報を読み取る装置は、第１レーザ光と第２レーザ光を発生可能な光ヘッドと、第１レーザ光か第２レーザ光を選択的に発生させる制御手段を備えていること
また、この発明に係る光ディスク装置は、上記の事項を基本とし、つぎの事項（２０）〜（２２）を加えて実施することができる。
【０１０２】
（２０）第１レーザ光による第２記録層の反射率が８％未満であること
（２１）第２レーザ光による第２記録層及び第３記録層の反射率が７〜１２％であること
（２２）第２記録層と第３記録層の反射率の比率が概ね±１０％以下であること
また、この発明に係る光ディスク装置は、上記の事項を基本とし、つぎの事項（２３）を加えて実施することができる。
【０１０３】
（２３）光ディスクが装填されたときは、最初に第２レーザ光を点灯させて第２記録層及び第３記録層をアクセスすること
また、この発明に係る光ディスク装置は、上記の事項を基本とし、つぎの事項（２４）を加えて実施することができる。
【０１０４】
（２４）制御手段は、ユーザインタフェースからの利用者入力に基づいて第１レーザ光か第２レーザ光を選択すること。
【０１０５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１０６】
【図１】片面１層ＤＶＤディスクの基本構造と光ヘッドの関係を示す図である。
【図２】片面１層ＤＶＤディスクの記録層の位置を示す図である。
【図３】片面２層ＨＤ ＤＶＤディスクの基本構造と光ヘッドの関係を示す図である。
【図４】片面２層ＨＤ ＤＶＤディスクの記録層の位置を示す図である。
【図５】ＨＤ ＤＶＤ／ＤＶＤツインフォーマットディスクの基本構造と光ヘッドの関係を示す図である。
【図６】ＨＤ ＤＶＤ／ＤＶＤツインフォーマットディスクの記録層の位置を示す図である。
【図７】本発明の光ディスクの基本構造と光ヘッドの関係を示す図である。
【図８】本発明の光ディスクの基板厚及び層間厚の設計の一例を示す図である。
【図９】本発明のディスク作製プロセスの一例を示す図である。
【図１０】本発明の光ディスクの赤色レーザ光に対する各層の反射率を示す図である。
【図１１】本発明の光ディスクの青紫色レーザ光に対する各層の反射率を示す図である。
【図１２】Ａｇ合金膜の反射率と透過率の計算値を示す図である。
【図１３】本発明の光ディスクの赤色レーザ光及び青紫色レーザ光に対する各層の反射率(複屈折含まない場合)を示す図である。
【図１４】本発明の光ディスクの赤色レーザ光及び青紫色レーザ光に対する各層の反射率（複屈折を含む場合）を示す図である。
【図１５】ＤＶＤ規格に適合した再生装置の構成を示す図である。
【図１６】ＤＶＤ規格に適合した再生装置で本発明の光ディスクを赤色レーザ光で再生したときの動作フローを示す図である。
【図１７】ＤＶＤ規格に適合した再生装置で本発明の光ディスクを赤色レーザ光で再生したときのフォーカス信号とフォーカスサーボの関係を示す図である。
【図１８】本発明の光ディスクに適合したＨＤ ＤＶＤ再生装置の構成を示す図である。
【図１９】本発明の光ディスクに適合したＨＤ ＤＶＤ再生装置で本発明の光ディスクを再生したときの動作フローを示す図である。
【図２０】本発明の光ディスクに適合したＨＤ ＤＶＤ再生装置で本発明の光ディスクを青紫色レーザ光で再生したときのフォーカス信号とフォーカスサーボの関係を示す図である。
【図２１】本発明の光ディスクに適合したＨＤ ＤＶＤ/ＤＶＤコンパチブル再生装置の構成を示す図である。
【図２２】本発明の光ディスクに適合したＨＤ ＤＶＤ/ＤＶＤコンパチブル再生装置の動作フローを示す図である。
【符号の説明】
【０１０７】
７０…光ディスク、７２…第１信号基板、７３…第２信号基板、７４…光透過層、７５…第１記録層、７６…第１中間層、８０…第２記録層、８１…第２中間層、８２…第３記録層。
【図１】
2007102841.tif 000003
【図２】
2007102841.tif 000004
【図３】
2007102841.tif 000005
【図４】
2007102841.tif 000006
【図５】
2007102841.tif 000007
【図６】
2007102841.tif 000008
【図７】
2007102841.tif 000009
【図８】
2007102841.tif 000010
【図９】
2007102841.tif 000011
【図１０】
2007102841.tif 000012
【図１１】
2007102841.tif 000013
【図１２】
2007102841.tif 000014
【図１３】
2007102841.tif 000015
【図１４】
2007102841.tif 000016
【図１５】
2007102841.tif 000017
【図１６】
2007102841.tif 000018
【図１７】
2007102841.tif 000019
【図１８】
2007102841.tif 000020
【図１９】
2007102841.tif 000021
【図２０】
2007102841.tif 000022
【図２１】
2007102841.tif 000023
【図２２】
2007102841.tif 000024